(57)【要約】【課題】調整可能で人間工学に基づくヘッドレスト・アセンブリを備えた実質的に水平の加工面がある網膜光線療法システム。【解決手段】網膜光線療法デバイスは、加工面に調節して配置され、レーザー光学系、カメラ、フラット・スクリーン・モニターおよびコントロール・ジョイスティックを一般に含んでいる。レーザー光学系はヘッドレスト・アセンブリに適応され、ヘッドレスト・アセンブリを使用するので、人の網膜に焦点を合わせるように設定可能である。カメラは、一般にレーザー光学系と共に同軸で配置され、網膜治療エリアの画像を投影するようにモニターに対して接続される。コントロール・ジョイスティックは加工面に関しての網膜光線療法デバイスの位置を微調整するように構成される。【選択図】  図１
2017527320.tif 000002
【特許請求の範囲】
【請求項１】
網膜光線療法用の装置であって、前記網膜光線療法用の装置は：
ヘッドレスト・アセンブリに調整自在に取り付けられている網膜光線療法装置であり：
前記網膜光線療法装置は、
前記放射エネルギー・ソースおよびシュミット系はヘッドレスト・アセンブリのために一般に適応させられ、ヘッドレスト・アセンブリを用いて、人の網膜をターゲットとするように設定可能な放射エネルギー・ソースおよびシュミット系であり、
ヘッドレスト・アセンブリのために一般に適応させられ、および焦点を合わせ続け、かつヘッドレスト・アセンブリを用いて、人の網膜の画像を捕らえ続けるように構成しうるカメラ、
放射エネルギー・ソースおよびシュミット系によってターゲットとされている網膜の画像を表示するように構成しうるカメラに関連したモニター、
および
ヘッドレスト・アセンブリに関しての三次元座標の空間の網膜光線療法装置の位置の微調整のため構成された基部から構成されていることを特徴とする網膜光線療法用の装置。
【請求項２】
さらに網膜光線療法装置が調節自在に配置される、実質的に水平の加工面を含み、
ヘッドレスト・アセンブリは、固定して加工面の最先端から伸長することを特徴とする請求項１に記載の網膜光線療法用の装置。
【請求項３】
ヘッドレスト・アセンブリは、加工面に対して調整可能な高さである額レストおよびあご当てを含むことを特徴とする請求項２に記載の網膜光線療法用の装置。
【請求項４】
さらに網膜光線療法装置の基部の上にコントロール・ジョイスティックをさらに備え、
コントロール・ジョイスティックは、三次元座標の空間の加工面にわたって網膜光線療法装置の位置を微調整することを特徴とする請求項２に記載の網膜光線療法用の装置。
【請求項５】
網膜光線療法装置の位置は、基部の手動の移動によって二次元座標空間の加工面にわたって微調整可能であることを特徴とする請求項２に記載の網膜光線療法用の装置。
【請求項６】
前記カメラは、網膜の赤外線映像を捕らえるように構成された赤外線カメラであることを特徴とする請求項１に記載の網膜光線療法用の装置。
【請求項７】
カメラ、放射エネルギー・ソースおよびシュミット系は、同じ方向中に同軸で配置され適応させられることを特徴とする請求項１に記載の網膜光線療法用の装置。
【請求項８】
コントロール・ジョイスティックは、放射エネルギー・ソースおよびカメラに対して効果的に接続され、コントロール・ジョイスティックはカメラの焦点を合わせて、かつ放射エネルギー・ソースを活性化するように構成されていることを特徴とする請求項４に記載の網膜光線療法用の装置。
【請求項９】
加工面の高さは垂直方向に調整可能であることを特徴とする請求項２に記載の網膜光線療法用の装置。
【請求項１０】
網膜光線療法用の装置であって、該装置は：
最先端から固定して伸びるヘッドレスト・アセンブリがある実質的に水平の加工面；
加工面に調節して配置された網膜光線療法装置を含み、
該網膜光線療法装置は、
ヘッドレスト・アセンブリのために一般に適応させられ、ヘッドレスト・アセンブリを用いて、人の網膜をターゲットとするように構成可能な放射エネルギー・ソースおよびシュミット系、
カメラは、同軸で放射エネルギー・ソースおよびシュミット系と共に配置し、ヘッドレスト・アセンブリへ同じ方向中に一般に向けられ、
ヘッドレスト・アセンブリのために一般に適応させられ、および焦点を合わせ続け、かつヘッドレスト・アセンブリを用いて、人の網膜の画像を捕らえ続けるように設定可能であるカメラ、
放射エネルギー・ソースおよびシュミット系によってターゲットとされている網膜の画像を表示するように設定可能なカメラに関連したモニター、
モニターは放射エネルギー・ソースおよびシュミット系によってターゲットとされている網膜の画像を表示するように設定可能であるカメラ、
および
三次元座標の空間の加工面にわたって網膜光線療法装置の位置を微調整するために構成された基部からなる網膜光線療法用の装置。
【請求項１１】
ヘッドレスト・アセンブリは、加工面に対して高さが調整可能である額レストおよびあご当てを含むことを特徴とする請求項１０に記載の網膜光線療法用の装置。
【請求項１２】
網膜光線療法装置の基部に基づいたコントロール・ジョイスティックをさらに含み、
コントロール・ジョイスティックは、三次元座標の空間の加工面にわたって網膜光線療法装置の位置を微調整することを特徴とする請求項１０に記載の網膜光線療法用の装置。
【請求項１３】
網膜光線療法装置の位置は、基部の手動の移動によって二次元座標空間の加工面にわたって微調整可能である請求項１０に記載の網膜光線療法用の装置。
【請求項１４】
カメラは網膜の赤外線映像を捕らえるように構成された赤外線カメラである請求項１０に記載の網膜光線療法用の装置。
【請求項１５】
コントロール・ジョイスティックは、放射エネルギー・ソースおよびカメラに対して効果的に接続され、カメラの焦点を合わせて、かつ放射エネルギー・ソースを活性化するように構成されていることを特徴とする請求項１２に記載の網膜光線療法用の装置。
【請求項１６】
加工面の高さは垂直方向において調整可能であることを特徴とする請求項１０に記載の
網膜光線療法用の装置。
【請求項１７】
網膜光線療法用の装置であって、該装置は：
最先端から固定して伸びるヘッドレスト・アセンブリがある実質的に水平の加工面であって、
加工面の高さは垂直方向において調整可能であり、
加工面に調整可能に配置された網膜光線療法装置を含み、
該網膜光線療法装置は、
ヘッドレスト・アセンブリのために一般に適応させられ、ヘッドレスト・アセンブリを用いて、人の網膜をターゲットとするように設定可能な放射エネルギー・ソースおよびシュミット系、
赤外線カメラは、同軸で放射エネルギー・ソースおよびシュミット系と共に配置し、ヘッドレスト・アセンブリのために同じ方向中に一般に向けられ、
焦点を合わせ続け、かつヘッドレスト・アセンブリを用いて、人の網膜の画像を捕らえ続けるように設定可能である赤外線カメラ、
放射エネルギー・ソースおよびシュミット系によってターゲットとされている網膜の画像を表示するように設定可能なカメラに関連したモニター、
および
手動の移動によって二次元座標の空間の加工面を横切って網膜光線療法装置の位置のマクロの適応、およびコントロール・ジョイスティックによって三次元座標の空間の加工面を横切って網膜光線療法装置の位置の微調整のため構成された基部からなる網膜光線療法用の装置。
【請求項１８】
ヘッドレスト・アセンブリは、加工面に対して高さを調整可能である額レストおよびあご当てを含むことを特徴とする請求項１７に記載の網膜光線療法用の装置。
【請求項１９】
コントロール・ジョイスティックは、放射エネルギー・ソースおよびカメラに対して効果的に接続され、カメラの焦点を合わせて、かつ放射エネルギー・ソースを活性化するように構成されていることを特徴とする請求項１７に記載の網膜光線療法用の装置。
【発明の詳細な説明】
【技術分野】
【０００１】
本発明は、患者に対して確実に快適に網膜治療を提供するためのシステムに対して一般に向けられる。
特に、この発明は、快適な方法で、およびより効果的に、目的、および患者の網膜を治療する様々な体型およびサイズの患者に適応することができるシステムに対して向けられる。
【背景技術】
【０００２】
先行技術のシステムおよび装置は患者が使用するのには快適でなく、患者の網膜をターゲットとし、治療することは非能率的だった。
そのような先行技術システムは患者がそれら自身へ押し入るか押し込むために４分の１を狭くするあるいは閉じることを提案している。
そのようなものは、患者に対して、痛みあるいは不快感を引き起こすかもしれない。
ある事例では、患者が位置を維持することができないか、床に、あるいは家具あるいは機器の中へ位置からはずれて落下すれば、それはさらに損傷が結果として生じるかもしれない。
【０００３】
そのような不快な位置で、治療サイクルが完了するために長く十分に動かせないままであることは患者にとって難しい。
もし患者が治療中に移動すれば、治療は多数のサイクルのため延長されるか再出発されるだろう。
【０００４】
したがって、患者に対してより快適な治療位置を提供し、および信頼でき効率的に患者の網膜に対して治療を提供するシステムおよび／または装置を提供する必要があった。
本発明はこれらのニーズを満たし、他の関連する利点を備えている。
【発明の概要】
【発明が解決しようとする課題】
【０００５】
本発明は網膜光線療法用の装置に対して向けられる。
装置は、ヘッドレスト・アセンブリに調節して関連した網膜光線療法装置を含んでいる。
網膜光線療法装置はレーザーを含み、これらに限定されずに、放射エネルギー・ソースを含む、およびシュミット系、ヘッドレスト・アセンブリのために一般に適応させられ、ヘッドレスト・アセンブリを用いるので、人の網膜をターゲットとするように設定可能である。
さらに、ヘッドレスト・アセンブリに対し一般に適応するカメラを含み、かつヘッドレスト・アセンブリを使用するので、焦点を合わせ続け、人の網膜の画像を取り込み続けるように設定可能である。
モニター、あるいはフラット・スクリーンはカメラおよび放射エネルギー・ソースおよびシュミット系と組み合わされ、ターゲットとされている網膜の画像を表示するように設定可能である。
網膜光線療法装置上の基部は、ヘッドレスト・アセンブリに関しての三次元座標の空間の網膜光線療法装置の位置の微調整のため構成される。
【課題を解決するための手段】
【０００６】
装置は、さらに網膜光線療法装置が調節して配置される、実質的に水平の加工面を含んでいてもよい。
加工面の高さは、垂直方向に好ましくは調整可能である。また、ヘッドレスト・アセンブリは、固定して加工面の最先端から伸びる。
ヘッドレスト・アセンブリは、加工面に対して高さが調整可能である額レストおよびあご当てを含む。
網膜光線療法装置の基部は、三次元座標の空間の加工面にわたって網膜光線療法装置の位置を微調整するためコントロール・ジョイスティックを含んでいてもよい。
網膜光線療法装置の位置は、基部の手動の移動によって二次元座標の空間の加工面にわたってマクロの調整が可能である。
【０００７】
カメラは、網膜の赤外線映像を捕らえるように構成された赤外線カメラであってもよい。
好ましくは、カメラ、放射エネルギー・ソースおよびシュミット系は、同じ向き中に同軸で配置され適応させてもよい。
コントロール・ジョイスティックも、効果的にレーザー・シュミット系およびカメラに対してカメラの焦点を合わせて、かつ放射エネルギー・ソースを活性化するように構成されているコントロール・ジョイスティックと組み合わせてもよい。
【０００８】
本発明の他の機能および利点は以下の例えば発明の原理を示す図面の多くの詳述を得られ明らかになるだろう、
【０００９】
以下の添付図面は発明を示す。
【図面の簡単な説明】
【００１０】
【図１】本発明の網膜光線療法システムの斜視図である。
【図２】本発明の網膜光線療法システムの平面図である。
【図３】本発明の網膜光線療法システムの背面図である。
【図４】本発明の網膜光線療法システムの正面図である。
【図５】本発明の網膜光線療法システムの側面図である。
【図６】患者の右眼上で用いられている網膜光線療法システムの上方から見た背面図である。
【図７】患者の左眼上で用いられている網膜光線療法システムの上方から見た背面図である。
【図８】カメラおよびレーザー光学系の配置のブロックダイアグラムである。
【発明を実施するための形態】
【００１１】
本発明は、レーザーを含み、これらに限定されずに、放射エネルギー・ソースと共に患者の網膜を治療するためのシステムに対して一般に向けられる。
この明細書の全体にわたって、そのままであるいはより大きなアセンブリの一部としての「レーザー」の使用は、いかなる放射エネルギー・ソースも含んでいるものとする。
図１−７の中の参照数字１０によって一般に引用されたシステムは、主として加工面１２および網膜光線療法装置１４から成る。
この規定の下では、Ｘ軸は、水平線に対して並進か横方向の移動を表す。
Ｙ軸は、水平線に対して縦方向か、縦の移動を表す。
Ｚ軸は、水平線に対して垂直か上下する移動を表す。
【００１２】
図１−５中に示されるように、加工面１２は、脚体１６あるいは同様のサポートに支えられている、一般に水平な平面の表面である。
脚体１６の高さは好ましくは、Ｚ軸の中の加工面１２の位置が、マクロの規模、つまりフィートまたはインチの単位で調整可能である。
脚体１６はパッドあるいは車輪（図示せず）を用いるので、脚体が床に対して静止しているあるいは移動可能なように床に固定されていてもよい。
【００１３】
ヘッドレスト・アセンブリ１８は加工面１２の上部から伸びる。
１組の基部腕２０は、左右方向での（すなわちＹ軸に沿って）一般に平行の配置中の加工面の上部に対して取り付けられる。
曲がったエクステンションアーム２２は、加工面１２よりも上方へ上がり、最先端１２ａの前に伸びる。
１組の支柱２４は、エクステンションアーム２２の遠位端を通じて垂直に伸び、加工面１２に対して支柱２４の高さは調整可能である。
【００１４】
あご当て２６は支柱２２の末端間に伸び、及び額レスト２８は支柱２２の上部端間に伸びる。
あご当て２６および額レスト２８は人の顔面のあごおよび額を支えるようにそれぞれ構成される。
支柱２２上の調節継手３０は、あご当て２６および額レスト２８の間隔のため異なるサイズの顔面を適応するように互いに対して調整可能である。
上記に描写されるように、曲がったエクステンションアーム２２は上方へ（Ｚ軸の方向に）上昇し、下記に述べるように網膜光線療法装置１４の前の人の顔面の位置を決めるように加工面１２の（Ｙ軸の方向に）前方に上昇する。
【００１５】
網膜光線療法装置１４は、一般に平台パッド３２、垂直スタンド３４および投影するシリンダ３６がある自立の、ガンのような装置に似ている。
放射エネルギー・ソースおよびシュミット系３８すなわちレーザー光学系は、シリンダ３６の遠位端から伸びる。
レーザー光学系３８は、一連の１１０度以上（図８を参照）を有している好ましくは広い角度オプティックスである。
表示モニターまたは視野スクリーン４０は装置１４の近位端に配置され、垂直スタンド３４およびシリンダ３６の接続点に対して好ましくは近位である。
ベースパッド３２は加工面１２の上に支えられていて、装置１４用の安定した基部を提供するのに十分に大きい。
装置１４には示されるようなユニット化された構造設計が好ましくはあり、構成要素はすべてハウジング内に含まれている。
装置１４のハウジングは、好ましくは審美的に満足している外観のため、高光沢とオパールのようなつやだしおよび高い許容範囲、すなわち綿密にぴったりであり、目立たない継目／モジュールの接続点を有している。
高い許容範囲の継目／モジュールの接続点はさらに埃の侵入および汚れの蓄積を防ぐ。
その様々な構成要素、加工面１２、装置１４およびヘッドレスト・アセンブリ１８が、中断時間が多くない短い時間で容易に取り除かれ交換されてもよく、システム１０には好ましくはモジュール構造がある。
欠陥のあるあるいは壊れている構成要素は容易に取り除かれ、他の構成要素と取り替えられてもよく、例えば、これは夜通し発送される。
【００１６】
球状接触継ぎ目を有するジョイスティック４２は、装置１４の制御操作までの移動の多数の段階を提供する。
移動の多数の段階は、前面または背面、側面から側面、上下に（Ｚ軸調整）、および右回りに／逆時計回りのような方向に移動する。
ジョイスティック４２の移動のこれらの段階のいくつかは、水平のＸ−Ｙ平面中の回転と同様にＸ、ＹおよびＺ軸の中で、加工面を横切って装置１４の移動、特にミクロの動作を調整するように設定可能である。
他のジョイスティック４２の移動の段階は、さらにレーザー光学系３８あるいは下記に述べられるようなカメラの焦点を調整してもよい。
ジョイスティック４２は、さらにレーザー・オプティックス３８あるいはデバイス１４に対して治療送達を全体として始めるためにボタンあるいはスイッチ４４を有してもよい。
【００１７】
表示／モニター４０は、カメラ４６、好ましくはＩＲカメラあるいは可視光線スペクトルを捕らえることができるカメラに対して接続される。
カメラ４６は好ましくは隣接してあるいは両方の構成要素が同じ目的に焦点を合わせるように、レーザー光学系３８と共に同軸で配置される。
ジョイスティック４２は、カメラ４６の焦点を制御するかあるいは用いられているレンズあるいは検知されるべき発光波長のタイプを変更するように構成されてもよい。
カメラ４６によって表示／モニター４０上で投影された画像は、特に患者の網膜を治療する場合、レーザー光学系３８が指し示される個所をユーザーが正確に監視することを可能にする。
表示／スクリーン４０は、好ましくは患者のカメラ４６による網膜の解像度の高い像を表示する。
カメラ４６はそれをレンジファインダーとして用いることができるように、好ましくは固定か焦点面が同一のレンズを含み、拡大／焦点距離が変更される場合、一般には焦点中にとどまる。
カメラ４６は輪または隣接した光としては、光源（図示せず）に対応付けてもよい。
光源は、好ましくはカメラ４６のために照明を提供し、かつ瞳孔収斂を回避するべき、赤外線（ＩＲ）光源である。
【００１８】
レーザー光学系３８のため開口部を形成するか部分的に塞ぐＬＣＤアパーチャ（図示せず）は、好ましくはレーザー光学系３８に対応付けられる。
モニター４０にはＬＣＤアパーチャによって治療サブフィールドの触針トレーシング・セレクションのため可能にするべきタッチ・スクリーン機能性が好ましくはある。
治療サブフィールドは異なる網膜構造、すなわち視神経の自動識別に基づいて治療からこれらのエリアを除外し決定される。
除外されたエリアは、トラッキングまたは標的の安定化のため用いられてもよい。
【００１９】
レーザー光学系３８およびカメラ４６は好ましくはオート・フォーカスとレンジファインダーの機能を含んでいる。
レーザー光学系３８およびカメラ４６は、好ましくはさらに画像およびレーザー投影安定性、トラッキングおよび位置決め機能を含んでいる。
光学補正回路類をレーザー光学系３８およびカメラ４６の画像対焦点を達成するために含んでいてもよい。
装置１４は、さらに基底部画像および変換手続情報すなわち処置された治療の完了を患者記録の中へ記録するための電子メモリを含んでいる。
そのような情報は好ましくは名前、治療期日、治療エリア、生年月日、患者の識別番号などを含む。
【００２０】
装置１４はさらに安全な通信プロトコル、すなわちＷｉ−Ｆｉ、ブルートゥース、携帯電話、あるいはサテライト、あるいは手順情報を送信するための同様のワイヤレス接続４８を含んでいてもよい。
治療の完了上のビリングを実行するために、同じ情報は、ビリング部に対して無線で送信されてもよい。
同様のワイヤレス接続４８あるいは同等の有線接続ポート、すなわち、ＵＳＢ、あるいは類似したものはレーザー・パラメーターおよび付随のソフトウェアのアップロードまたは再構成を可能にする。
オペレーターまたは医者は、さらに治療に先立ってラップトップまたは電子カルテのシステムによって患者情報を入力するためにこのワイヤレス接続４８を用いてもよい。
これらの同様の通信プロトコル機能も有線接続、すなわちＵＳＢ、イーサネットを用いて行なってもよい。
【００２１】
加工面を横切る装置１４の移動に関して、加工面１２の平面の中および加工面１２上の垂直の両方の移動にマクロの移動およびミクロの移動の二つが一般的にある。
マクロの移動は、２本の基部腕２０間に、容易に観察可能な規模、すなわちインチ、センチメートルあるいは他の同様の距離から参照される。
ミクロの移動は人の網膜に関しての装置１４の位置を微調整するために参照する。
そのような位置の微調整あるいは、ミクロの移動は上記に記載されるようなジョイスティック４４の使用によって遂行される。
ジョイスティック・コントロールは基部３２の下側にモーターあるいは他の機構（図示せず）を配置する。
【００２２】
図６および７は、ヘッドレスト・アセンブリ１８中の人の位置をあご当て２６にあてたあごおよび額レスト２８中の額とともに図示する。
ヘッドレスト・アセンブリ１８でのエクステンションアーム２２および装置１４のシリンダ３６の人間工学上の配置は、装置へ患者を「押し合って入らせる」ことではなく患者に対して効果的に手を差し伸べるために、任意のタイプの頭、体あるいは顔を収容するように設計される。
くぼんだ目、突き出た眉、大きい胸、過体重、非常に背が高い、非常に背が低い患者すべてこの配置に収容することができる。
【００２３】
一般に目と共にレーザー光学系３８およびカメラ４６を調節するため、装置１４は、加工面１２をマクロの移動で横切るために好ましくは手動で移動される。
加工面１２の接触面および基部３２の下側は、好ましくは手動の移動を促進するために低摩擦表面である。
高い摩擦プレート（図示せず）は一旦装置１４を配置すれば、マクロの移動をさらに抑制することが引き起こされてもよい。
ターゲット・エリアを照らすように構成された可視の患者の固定標的あるいは一般的な位置光（図示せず）は、この一般的な位置合わせを支持するために含まれていてもよい。
位置光は、レーザー光学系３８およびカメラ４６と共に目の中へ同軸で投影される。
次に、これは、装置・レーザー光学系３８および目を備えたカメラ４６の位置および正確な位置合わせを微調整するためにジョイスティック４２および位置モーターを用いてもよい。
【００２４】
使用において、オペレーターは、ジョイスティック４２の移動の段階で用いるカメラ４６および高精度焦点をモニター４０の図の中へ患者の目を引き入れる。
カメラ４６は、モニター４０上に目の奥の網膜の画像を投影する。
カメラ４６によって投影されたモニター４０あるいは画像は、目および網膜に従って正確にレーザー光学系３８の位置を決めるのを支持するためにガイド・マーキングあるいはグリッド（図示せず）を含んでもよい。
【００２５】
一旦網膜が高精度焦点内に存在し治療エリアがマークされれば、オペレーターは治療を開始する。
患者の動きによって時々中断されたとしても、完了するまで治療は自動で進む。
装置１４は治療の前、間、後に多数の静止画像および／または患者の網膜の映像を取り込んでも良い。
治療の完了および完全は、網膜の基底部監視カメラ４６によって検知され記録された網膜の反射率によって好ましくは裏付けられる。
【００２６】
図８は、概略的にカメラ４６およびレーザー光学系３８の好ましい配置をより詳細に示す。
この配置において、カメラ４６は、示されるような患者の網膜５４と一直線に位置合わせする。
放射エネルギー・ソース５０は、操縦する鏡５６によって転送されたそのビームと共にカメラ４６によるオフセットを示す。
操縦する鏡は、ビーム分割器５８までの放射エネルギー・ビームを反射する。
ビーム分割器５８は操縦する鏡５６による反映されたビームを組み合わせるように好ましくは逆に配置される。
ビーム分割器は、患者の眼球の奥の網膜５４に同様に焦点を合わせるレンズ５２を通して結合した放射エネルギー・ビームを転送する。
示されるように、放射エネルギー・ビームは好ましくは網膜の曲率中約１００度のターゲット・エリア範囲を有している。
レーザー光学系３８および患者の目の間の好ましい距離は、少なくとも１センチメートルである。
瞳孔を通して網膜上で十分に大きい点でのビームを投影するために、最終光学系あるいはレンズ５２と瞳孔の間の先端部を通してビームの焦点を結ぶ。
これは、必要な治療照明において約５ミリメートルの最小の瞳孔径を仮定する。
これらの距離はちょうど好ましい範囲であり、エネルギー・ソース５０、レンズ５２、操縦する鏡５６およびビーム分割器５８の異なる配置と共に意図されるように、他の距離は動かしてもよい。
カメラ４６は、好ましくは放射エネルギー・ビームの進路を邪魔しないので、レンズ５２およびビーム分割器５８を通して、あるいはレンズ５２およびビーム分割器５８中の周りで作動する。
【００２７】
いくつかの実施形態で例証のため詳細に述べたが、様々な修正は発明の範囲および精神から逸脱することなくなされうる。
従って、発明は添付された請求項によって限定される場合を除き限定されない。
【図１】
2017527320.tif 000003
【図２】
2017527320.tif 000004
【図３】
2017527320.tif 000005
【図４】
2017527320.tif 000006
【図５】
2017527320.tif 000007
【図６】
2017527320.tif 000008
【図７】
2017527320.tif 000009
【図８】
2017527320.tif 000010
【国際調査報告】
2017527320.tif 000011